【手続補正書】
【提出日】平成22年3月24日(2010.3.24)
【手続補正１】
【補正対象書類名】特許請求の範囲
【補正対象項目名】全文
【補正方法】変更
【補正の内容】
【特許請求の範囲】
【請求項１】
温度応答切換型光フィルタであって、
基板と、
その基板によって支持されたダウンコンバータであって、広帯域を有する入射光を吸収するとともに、前記広帯域の波長より実質的にまたは全体的に長い放出波長において光を放出するものと、
前記基板によって支持された第１のバンドブロックフィルタであって、当該温度応答切換型光フィルタの温度が第１領域内にある場合には、前記放出された光を遮断し、当該温度応答切換型光フィルタの温度が第２領域内にある場合には、前記放出された光を通過させるものと
を含む温度応答切換型光フィルタ。
【請求項２】
さらに、
前記基板によって支持された第２のバンドブロックフィルタを含み、
前記ダウンコンバータは、熱変色性であるとともに、前記第１のバンドブロックフィルタと前記第２のバンドブロックフィルタとの間に挟まれており、
前記放出波長は、前記ダウンコンバータの温度に応じて変化し、
前記基板は、透過性であり、
前記第１のバンドブロックフィルタは、前記ダウンコンバータの温度が第１しきい温度より低温である場合には、前記放出された光を遮断し、前記ダウンコンバータの温度が第２しきい温度より高温である場合には、前記放出された光を通過させ、
前記第２のバンドブロックフィルタは、前記ダウンコンバータの温度が前記第１しきい温度より低温である場合には、前記放出された光を通過させ、前記ダウンコンバータの温度が前記第２しきい温度より高温である場合には、前記放出された光を遮断する請求項１に記載の温度応答切換型光フィルタ。
【請求項３】
当該温度応答切換型光フィルタは、スパンドレルとして構成されており、
当該温度応答切換型光フィルタは、さらに、
熱変色性減衰器と、
透過性絶縁層と、  
裏板と、
エネルギー蓄積材料と
を含み、
前記基板は、前記スパンドレルの外板を形成するガラス板であり、
前記熱変色性減衰器は、前記ガラス板の内面を覆い、
前記ダウンコンバータは、その熱変色性減衰器に隣接する無反射板であり、その無反射板は、前記ガラス板と前記熱変色性減衰器とを通過した入射光を吸収するとともに、前記放出波長において、前記入射光をダウンコンバートして光を放出し、
前記透過性絶縁層は、前記熱変色性減衰器と前記無反射板との間に位置し、
前記第１のバンドブロックフィルタは、前記無反射板の外面を覆う第１の低放射膜であり、
前記裏板は、前記スパンドレルの内板を形成するとともに、前記無反射板に隙間を隔てて隣接し、
前記エネルギー蓄積材料は、前記無反射板と前記裏板との間に挟まれている請求項１に記載の温度応答切換型光フィルタ。
【請求項４】
当該温度応答切換型光フィルタは、窓として構成されており、
前記基板は、ガラス板であり、
前記第１のバンドブロックフィルタは、前記ガラス板の表面を覆う低放射膜であり、
前記ダウンコンバータは、前記ガラス板によって支持された熱変色性フィルムであり、
前記放出波長は、前記ダウンコンバータの温度に応じて変化する請求項１に記載の温度応答切換型光フィルタ。
【請求項５】
さらに、
前記基板によって支持された第２のバンドブロックフィルタであって、当該温度応答切換型光フィルタの温度が前記第１領域内にある場合には、前記放出された光を通過させ、当該温度応答切換型光フィルタの温度が前記第２領域内にある場合には、前記放出された光を遮断するものを含む請求項１、３または４に記載の温度応答切換型光フィルタ。
【請求項６】
さらに、
前記基板によって支持されたロングパスフィルタであって、当該温度応答切換型光フィルタの温度が前記第１領域内にある場合には、前記放出された光を通過させ、当該温度応答切換型光フィルタの温度が前記第２領域内にある場合には、前記放出された光を遮断するものを含む請求項５に記載の温度応答切換型光フィルタ。
【請求項７】
さらに、
前記入射光を受ける外面と、
内面と
を含み、
前記第１領域の温度が前記第２領域より低い場合に、前記放出された光は、当該温度応答切換型光フィルタの前記内面から出射し、
前記第１領域の温度が前記第２領域より高い場合に、前記放出された光は、当該温度応答切換型光フィルタの前記外面から出射し、
当該温度応答切換型光フィルタの温度が前記第１領域と前記第２領域との間にある場合に、前記放出された光は、当該温度応答切換型光フィルタの前記内面および前記外面の双方から出射する請求項１ないし５のいずれかに記載の温度応答切換型光フィルタ。
【請求項８】
前記ダウンコンバータは、
黒体放射器と、
蛍光材料と、
リン光性材料と、
フォトルミネッセンス材料と、
透過性素材内に埋め込まれた複数の量子閉じ込めデバイスと、
前記入射光が、吸収されることなく通過する穴部を有する材料と
のうち少なくとも一つを含み、
前記ダウンコンバータは、熱変色性であり、
前記放出波長は、前記ダウンコンバータの温度に応じて変化する請求項１ないし４のいずれかに記載の温度応答切換型光フィルタ。
【請求項９】
前記第１のバンドブロックフィルタおよび前記第２のバンドブロックフィルタのいずれかまたは双方は、熱変色性である請求項２ないし５のいずれかに記載の温度応答切換型光フィルタ。
【請求項１０】
前記ダウンコンバータの前記放出波長は、可視スペクトルにおいて発生するか、赤外スペクトルにおいて発生するか、または、化学反応の最適触媒もしくは特定の光学的効果を実現するために選択される請求項１ないし４のいずれかに記載の温度応答切換型光フィルタ。
【請求項１１】
さらに、
前記入射光のうち、前記広帯域を占める部分を遮断する減衰器を含む請求項１または２に記載の温度応答切換型光フィルタ。
【請求項１２】
前記減衰器は、
熱変色性液晶デバイスと、
熱変性液晶デバイスと、
熱変色性を有する光反射材料と、
熱変色性を有する赤外反射材料と
のうち少なくとも一つを含む請求項１１に記載の温度応答切換型光フィルタ。
【請求項１３】
さらに、
制御システムと、
その制御システムと前記減衰器とに接続された電源と、
前記制御システムに接続された少なくとも一つのセンサと
を含み、
前記減衰器または前記ダウンコンバータは、さらに、電気変色性材料を含み、
前記減衰器が前記電気変色性材料を含む場合におけるその電気変色性材料は、前記入射光を通過させるかまたは前記入射光を前記ダウンコンバータに到達することから遮断するために、前記センサからのフィードバック信号に基づき、前記制御システムによって起動されるものであり、
前記ダウンコンバータが前記電気変色性材料を含む場合におけるその電気変色性材料は、前記放出される光の前記放出波長を変更するために、前記センサからのフィードバック信号に基づき、前記制御システムによって起動されるものである請求項１１に記載の温度応答切換型光フィルタ。
【請求項１４】
さらに、
前記基板によって支持されたエネルギー蓄積材料を含む請求項１または２に記載の温度応答切換型光フィルタ。
【請求項１５】
前記エネルギー蓄積材料は、相変化材料を含む請求項３または１４に記載の温度応答切換型光フィルタ。
【請求項１６】
光の流れと放射熱の流れとを調節する方法であって、
入射光を、複数の波長において、ダウンコンバータによって吸収する工程と、
前記入射光を、前記ダウンコンバータから、前記入射光の前記複数の波長より実質的にまたは全体的に長い放出波長において放出する工程と、
少なくとも一つのバンドブロックフィルタにより、前記放出された光を反射する工程と
を含み、
前記放出された光は、周辺温度が第１領域内にある場合に、内向きに放散し、
前記放出された光は、前記周辺温度が第２領域内にある場合に、外向きに放散し、
前記放出された光は、前記周辺温度が前記第１領域と前記第２領域との間に位置する場合に、前記内向きと前記外向きとの双方に放散する方法。
【請求項１７】
さらに、
前記周辺温度に基づき、熱変色性減衰器により、前記入射光の通過および遮断を受動的にかつ選択的に行う工程を含む請求項１６に記載の方法。
【手続補正２】
【補正対象書類名】明細書
【補正対象項目名】００２９
【補正方法】変更
【補正の内容】
【００２９】
本発明の他の特徴、詳細、実用性および効果は、添付した図面において図示されるとともに後続するクレームにおいて定義されているように、本発明の種々の実施形態についての、後述の、より具体的な説明から明らかとなるであろう。
本発明により、下記の各態様が得られる。
（１）  温度応答切換型光フィルタであって、
基板と、
その基板によって支持されたダウンコンバータであって、広帯域を有する入射光を吸収するとともに、前記広帯域の波長より実質的にまたは全体的に長い放出波長において光を放出するものと、
前記基板によって支持された第１のバンドブロックフィルタであって、当該温度応答切換型光フィルタの温度が第１領域内にある場合には、前記放出された光を遮断し、当該温度応答切換型光フィルタの温度が第２領域内にある場合には、前記放出された光を通過させるものと
を含む温度応答切換型光フィルタ。
（２）  さらに、
前記入射光を受ける外面と、
内面と
を含み、
前記第１領域の温度が前記第２領域より低い場合に、前記放出された光は、当該温度応答切換型光フィルタの前記内面から出射する（１）項に記載の温度応答切換型光フィルタ。
（３）  さらに、
前記入射光を受ける外面と、
内面と
を含み、
前記第１領域の温度が前記第２領域より高い場合に、前記放出された光は、当該温度応答切換型光フィルタの前記外面から出射する（１）項に記載の温度応答切換型光フィルタ。
（４）  さらに、
前記入射光を受ける外面と、
内面と
を含み、
当該温度応答切換型光フィルタの温度が前記第１領域と前記第２領域との間にある場合に、前記放出された光は、当該温度応答切換型光フィルタの前記内面と前記外面との双方から出射する（１）項に記載の温度応答切換型光フィルタ。
（５）  さらに、
前記基板によって支持された第２のバンドブロックフィルタであって、当該温度応答切換型光フィルタの温度が前記第１領域内にある場合には、前記放出された光を通過させ、当該温度応答切換型光フィルタの温度が前記第２領域内にある場合には、前記放出された光を遮断するものを含む（１）項に記載の温度応答切換型光フィルタ。
（６）  さらに、
前記入射光を受ける外面と、
内面と
を含み、
前記第１領域の温度が前記第２領域より低い場合に、前記放出された光は、当該温度応答切換型光フィルタの前記内面から出射する（５）項に記載の温度応答切換型光フィルタ。
（７）  さらに、
前記入射光を受ける外面と、
内面と
を含み、
前記第１領域の温度が前記第２領域より高い場合に、前記放出された光は、当該温度応答切換型光フィルタの前記外面から出射する（５）項に記載の温度応答切換型光フィルタ。
（８）  さらに、
前記入射光を受ける外面と、
内面と
を含み、
当該温度応答切換型光フィルタの温度が前記第１領域と前記第２領域との間にある場合に、前記放出された光は、当該温度応答切換型光フィルタの前記内面と前記外面との双方から出射する（５）項に記載の温度応答切換型光フィルタ。
（９）  さらに、
前記基板によって支持されたロングパスフィルタであって、当該温度応答切換型光フィルタの温度が前記第１領域内にある場合には、前記放出された光を通過させ、当該温度応答切換型光フィルタの温度が前記第２領域内にある場合には、前記放出された光を遮断するものを含む（５）項に記載の温度応答切換型光フィルタ。
（１０）  前記ダウンコンバータは、黒体放射器である（１）項に記載の温度応答切換型光フィルタ。
（１１）  前記ダウンコンバータは、蛍光材料、リン光性材料またはフォトルミネッセンス材料である（１）項に記載の温度応答切換型光フィルタ。
（１２）  前記ダウンコンバータは、透過性素材内に埋め込まれた複数の量子閉じ込めデバイスを含む（１）項に記載の温度応答切換型光フィルタ。
（１３）  前記ダウンコンバータは、前記入射光が、吸収されることなく通過する穴部を有する（１）項に記載の温度応答切換型光フィルタ。
（１４）  前記基板は、透明である（１）項に記載の温度応答切換型光フィルタ。
（１５）  前記ダウンコンバータは、熱変色性であり、前記放出波長は、前記ダウンコンバータの温度に応じて変化する（１）項に記載の温度応答切換型光フィルタ。
（１６）  前記第１のバンドブロックフィルタは、熱変色性である（１）項に記載の温度応答切換型光フィルタ。
（１７）  前記第１のバンドブロックフィルタおよび前記第２のバンドブロックフィルタの各々は、熱変色性である（６）項に記載の温度応答切換型光フィルタ。
（１８）  前記ダウンコンバータの前記放出波長は、可視スペクトルにおいて発生する（１）項に記載の温度応答切換型光フィルタ。
（１９）  前記ダウンコンバータの前記放出波長は、赤外スペクトルにおいて発生する（１）項に記載の温度応答切換型光フィルタ。
（２０）  前記ダウンコンバータの前記放出波長は、化学反応の最適触媒または特定の光学的効果を実現するために選択される（１）項に記載の温度応答切換型光フィルタ。
（２１）  前記基板は、ファブリック製またはポリマ製の軟質シートである（１）項に記載の温度応答切換型光フィルタ。
（２２）  前記基板は、ガラス製または透明もしくは半透明な硬質ポリマ材料である（１）項に記載の温度応答切換型光フィルタ。
（２３）  さらに、
前記入射光を当該温度応答切換型光フィルタの外面に向けて誘導するために配置された外部反射器を含む（１）項に記載の温度応答切換型光フィルタ。
（２４）  さらに、
当該温度応答切換型光フィルタの外面に対して角度を有するように配置され、前記入射光を前記外面に到達することから、部分的に制限し、遮断し、吸収し、反射し、または減衰させる複数のフィンを含む（１）項に記載の温度応答切換型光フィルタ。
（２５）  さらに、
前記入射光のうち、前記広帯域を占める部分を遮断する減衰器を含む（１）項に記載の温度応答切換型光フィルタ。
（２６）  前記減衰器は、熱変色性液晶デバイスまたは熱変性液晶デバイスを含む（２５）項に記載の温度応答切換型光フィルタ。
（２７）  前記減衰器は、熱変色性光反射材料を含む（２５）項に記載の温度応答切換型光フィルタ。
（２８）  前記減衰器は、熱変色性赤外反射材料を含む（２５）項に記載の温度応答切換型光フィルタ。
（２９）  さらに、
制御システムと、
その制御システムと前記減衰器とに接続された電源と、
前記制御システムに接続された少なくとも一つのセンサと
を含み、
前記減衰器は、さらに、電気変色性材料を含み、
その電気変色性材料は、前記入射光を通過させるかまたは前記入射光を前記ダウンコンバータに到達することから遮断するために、前記センサからのフィードバック信号に基づき、前記制御システムによって起動される（２７）項に記載の温度応答切換型光フィルタ。
（３０）  さらに、
制御システムと、
その制御システムと前記ダウンコンバータとに接続された電源と、
前記制御システムに接続された少なくとも一つのセンサと
を含み、
前記ダウンコンバータは、さらに、電気変色性材料を含み、
その電気変色性材料は、前記放出された光の前記放出波長を変更するために、前記センサからのフィードバック信号に基づき、前記制御システムによって起動される（２７）項に記載の温度応答切換型光フィルタ。
（３１）  さらに、
前記入射光の向きを当該温度応答切換型光フィルタの外面に向かう向きに変更するコリメータを含む（１）項に記載の温度応答切換型光フィルタ。
（３２）  さらに、
前記入射光の焦点を当該温度応答切換型光フィルタの外面上に設定する集光レンズを含む（１）項に記載の温度応答切換型光フィルタ。
（３３）  さらに、
当該温度応答切換型光フィルタから放出される光の強度を分散させる拡散器または拡散レンズを含む（３２）項に記載の温度応答切換型光フィルタ。
（３４）  さらに、
当該温度応答切換型光フィルタの内面と外面との少なくとも一方を覆う色フィルタを含む（１）項に記載の温度応答切換型光フィルタ。
（３５）  さらに、
当該温度応答切換型光フィルタの内面と外面との少なくとも一方を覆う反射防止膜を含む（１）項に記載の温度応答切換型光フィルタ。
（３６）  さらに、
前記基板によって支持された断熱層を含む（１）項に記載の温度応答切換型光フィルタ。
（３７）  前記断熱層は、さらに、エアギャップを含む（３６）項に記載の温度応答切換型光フィルタ。
（３８）  さらに、
前記放出された光を当該温度応答切換型光フィルタの内部に反射する広帯域反射器を含む（１）項に記載の温度応答切換型光フィルタ。
（３９）  さらに、
前記基板によって支持されたエネルギー蓄積材料を含む（１）項に記載の温度応答切換型光フィルタ。
（４０）  温度応答切換型光フィルタであって、
第１のバンドブロックフィルタ層と、
第２のバンドブロックフィルタ層と、
前記第１のバンドブロックフィルタ層と前記第２のバンドブロックフィルタ層との間に挟まれた熱変色性のダウンコンバータ層であって、当該ダウンコンバータ層は、広帯域を有する入射光を吸収するとともに、前記広帯域の波長より実質的にまたは全体的に長い放出波長において光を放出し、前記放出波長は、前記ダウンコンバータ層の温度に応じて変化するものと、
前記第１のバンドブロックフィルタ層と、前記第２のバンドブロックフィルタ層と、前記ダウンコンバータ層とを支持する透過性基板と
を含み、
前記第１のバンドブロックフィルタ層は、前記ダウンコンバータ層の温度が第１しきい温度より低温である場合には、前記放出された光を遮断し、前記ダウンコンバータ層の温度が第２しきい温度より高温である場合には、前記放出された光を通過させ、
前記第２のバンドブロックフィルタ層は、前記ダウンコンバータ層の温度が前記第１しきい温度より低温である場合には、前記放出された光を通過させ、前記ダウンコンバータ層の温度が前記第２しきい温度より高温である場合には、前記放出された光を遮断する温度応答切換型光フィルタ。
（４１）  前記ダウンコンバータ層の前記放出波長は、可視スペクトルにおいて発生する（４０）項に記載の温度応答切換型光フィルタ。
（４２）  前記ダウンコンバータ層の前記放出波長は、赤外スペクトルにおいて発生する（４０）項に記載の温度応答切換型光フィルタ。
（４３）  （４０）項に記載の温度応答切換型光フィルタを含むスパンドレル。
（４４）  （４０）項に記載の温度応答切換型光フィルタを含む窓。
（４５）  スパンドレルであって、
当該スパンドレルの外板を形成するガラス板と、
そのガラス板の内面を覆う第１の熱変色性減衰器と、
その第１の熱変色性減衰器に隣接する無反射板であって、前記ガラス板と前記第１の熱変色性減衰器とを通過した入射光を吸収するとともに、前記入射光をダウンコンバートして、放出波長において光を放出するものと、
前記第１の熱変色性減衰器と前記無反射板との間に位置する透過性絶縁層と、
前記無反射板の外面を覆う第１の低放射膜と、
当該スパンドレルの内板を形成する裏板であって、前記無反射板に隙間を隔てて隣接するものと、
前記無反射板と前記裏板との間に挟まれたエネルギー蓄積材料と
を含むスパンドレル。
（４６）  さらに、前記第１の熱変色性減衰器の内面を覆う第２の低放射膜を含む（４５）項に記載のスパンドレル。
（４７）  前記透過性絶縁層は、エアギャップである（４５）項に記載のスパンドレル。
（４８）  前記無反射板は、黒色に着色されている（４５）項に記載のスパンドレル。
（４９）  前記第１の熱変色性減衰器は、液晶板を含む（４５）項に記載のスパンドレル。
（５０）  前記第１の熱変色性減衰器は、熱変色性光反射材料のフィルムを含む（４５）項に記載のスパンドレル。
（５１）  前記第１の熱変色性減衰器は、熱変色性赤外反射材料のフィルムを含む（４５）項に記載のスパンドレル。
（５２）  さらに、
前記透過性絶縁層と前記第１の低放射膜との間に位置する第２の熱変色性減衰器を含む（４５）項に記載のスパンドレル。
（５３）  前記第２の熱変色性減衰器は、前記第１の熱変色性減衰器より高い遷移温度を有する（４５）項に記載のスパンドレル。
（５４）  前記裏板は、ガラス製、プラスチック製または金属製のシートを含む（４５）項に記載のスパンドレル。
（５５）  さらに、
前記裏板の内側に適用される美的表面処理材を含む（４５）項に記載のスパンドレル。
（５６）  前記エネルギー蓄積材料は、相変化材料を含む（４５）項に記載のスパンドレル。
（５７）  前記相変化材料は、少なくとも一つのワックスまたは塩を含む（５６）項に記載のスパンドレル。
（５８）  窓であって、
第１の窓ガラスと、
その第１の窓ガラスの表面を覆う第１の低放射膜と、
前記第１の窓ガラスによって支持された熱変色性ダウンコンバータフィルムと
を含み、
その熱変色性ダウンコンバータフィルムは、広帯域を有する入射光を吸収するとともに、前記広帯域の波長より実質的にまたは全体的に長い放出波長において光を放出し、
前記放出波長は、前記熱変色性ダウンコンバータフィルムの温度に応じて変化し、
前記第１の低放射膜は、当該窓の温度が第１領域内にある場合には、前記放出された光を遮断し、当該窓の温度が第２領域内にある場合には、前記放出された光を通過させる窓。
（５９）  さらに、
前記熱変色性ダウンコンバータフィルムのうち、その熱変色性ダウンコンバータフィルムに関し、前記第１の低放射膜とは反対側の部分を覆う第２の低放射膜を含む（５８）項に記載の窓。
（６０）  さらに、
前記熱変色性ダウンコンバータフィルムのうち、その熱変色性ダウンコンバータフィルムに関し、前記第１の低放射膜とは反対側の部分を覆う第２の低放射膜と、
前記熱変色性ダウンコンバータフィルムから離れた位置にある第２の窓ガラスと、
その第２の窓ガラスと前記熱変色性ダウンコンバータフィルムとの間に挟まれた透過性絶縁層と
を含む（５８）項に記載の窓。
（６１）  前記透過性絶縁層は、エアギャップである（６０）項に記載の窓。
（６２）  前記第１の低放射膜は、前記熱変色性ダウンコンバータフィルムの温度が第１しきい温度より低温である場合には、前記放出された光を遮断し、前記熱変色性ダウンコンバータフィルムの温度が第２しきい温度より高温である場合には、前記放出された光を通過させ、
前記第２の低放射膜は、前記熱変色性ダウンコンバータフィルムの温度が前記第１しきい温度より低温である場合には、前記放出された光を通過させ、前記熱変色性ダウンコンバータフィルムの温度が前記第２しきい温度より高温である場合には、前記放出された光を遮断する（６０）項に記載の窓。
（６３）  さらに、
前記熱変色性ダウンコンバータフィルムから離れた位置にある第２の窓ガラスと、
その第２の窓ガラスを覆う第２の低放射膜と、
その第２の窓ガラスと前記第１の低放射膜との間に挟まれた透過性絶縁層と
を含む（５８）項に記載の窓。
（６４）  前記透過性絶縁層は、エアギャップである（６３）項に記載の窓。
（６５）  前記第１の低放射膜は、前記熱変色性ダウンコンバータフィルムの温度が第１しきい温度より低温である場合には、前記放出された光を遮断し、前記熱変色性ダウンコンバータフィルムの温度が第２しきい温度より高温である場合には、前記放出された光を通過させ、
前記第２の低放射膜は、前記熱変色性ダウンコンバータフィルムの温度が前記第１しきい温度より低温である場合には、前記放出された光を通過させ、前記熱変色性ダウンコンバータフィルムの温度が前記第２しきい温度より高温である場合には、前記放出された光を遮断する（６３）項に記載の窓。
（６６）  さらに、
前記第１の窓ガラスによって支持された熱変色性減衰器を含む（５８）項に記載の窓。
（６７）  前記熱変色性減衰器は、前記第１の窓ガラスと前記第１の低放射膜との間に配置されており、それにより、前記第１の低放射膜が、前記第１の窓ガラスの表面に代えて、前記熱変色性減衰器の表面を覆う（６６）項に記載の窓。
（６８）  前記熱変色性減衰器は、液晶板を含む（６６）項に記載の窓。
（６９）  前記熱変色性減衰器は、熱変色性光反射材料を含む（６６）項に記載の窓。
（７０）  前記熱変色性減衰器は、熱変色性赤外反射材料を含む（６６）項に記載の窓。
（７１）  前記熱変色性ダウンコンバータフィルムは、複数の透過性通路を有する（５８）項に記載の窓。
（７２）  光の流れと放射熱の流れとを調節する方法であって、
入射光を、複数の波長において、ダウンコンバータによって吸収する工程と、
前記入射光を、前記ダウンコンバータから、前記入射光の前記複数の波長より実質的にまたは全体的に長い放出波長において放出する工程と、
少なくとも一つのバンドブロックフィルタにより、前記放出された光を反射する工程と
を含み、
前記放出された光は、周辺温度が第１領域内にある場合に、内向きに放散し、
前記放出された光は、前記周辺温度が第２領域内にある場合に、外向きに放散し、
前記放出された光は、前記周辺温度が前記第１領域と前記第２領域との間に位置する場合に、前記内向きと前記外向きとの双方に放散する方法。
（７３）  さらに、
前記周辺温度に基づき、熱変色性減衰器により、前記入射光の通過および遮断を受動的にかつ選択的に行う工程を含む（７２）項に記載の方法。
（７４）  建物の温度を調節する方法であって、
前記建物のうちの少なくとも一部の外面を、ダウンコンバータ層と少なくとも一つのバンドフロックフィルタとを有する積層材料によって被覆する工程と、
入射光を、複数の波長において、前記ダウンコンバータ層によって吸収する工程と、
前記入射光を、前記ダウンコンバータ層から、赤外波長において放出する工程と、
前記少なくとも一つのバンドブロックフィルタにより、前記放出された光を反射する工程と
を含み、
前記放出された光は、周辺温度が第１しきい温度より低温である場合に、内向きに放散し、
前記放出された光は、前記周辺温度が第２しきい温度より高温である場合に、外向きに放散し、
前記放出された光は、前記周辺温度が前記第１しきい温度と前記第２しきい温度との間に位置する場合に、前記内向きと前記外向きとの双方に放散する方法。
（７５）  前記被覆物は、さらに、熱変色性減衰器層を含み、
当該方法は、さらに、
前記周辺温度に基づき、前記熱変色性減衰器層により、前記入射光の通過および遮断を受動的にかつ選択的に行う工程を含む（７４）項に記載の方法。